(57)【特許請求の範囲】
【請求項１】
３Ｄ映像データを生成する生成手段と、
前記３Ｄ映像データがキャラクタデータを含む場合、前記キャラクタデータを含む前記３Ｄ映像データを収める表示範囲の奥行き方向の深度レンジ及び前記深度レンジの開始位置を調整する調整手段と、
を有する映像処理装置。
【請求項２】
３Ｄ映像データを生成する生成手段と、
前記３Ｄ映像データがキャラクタデータを含む場合、前記キャラクタデータを含む前記３Ｄ映像データを収める表示範囲の奥行き方向の深度レンジ及び前記深度レンジの開始位置を調整する調整手段と、
前記調整手段に対して、前記深度レンジの調整を指示する指示手段と、
を有する映像処理装置。
【請求項３】
３Ｄ映像データを生成する生成手段と、
前記３Ｄ映像データがキャラクタデータを含む場合、前記キャラクタデータを含む前記３Ｄ映像データを収める表示範囲の奥行き方向の深度レンジ及び前記深度レンジの開始位置を調整するとともに、前記３Ｄ映像データが前記キャラクタデータを含まない場合、前記深度レンジ及び前記深度レンジの開始位置の調整を行わない調整手段と、
を有する映像処理装置。
【請求項４】
前記調整手段は、前記深度レンジを狭めるように調整する請求項１から３のいずれか１項に記載の映像処理装置。
【請求項５】
前記調整手段は、前記３Ｄ映像データの内容に応じて前記深度レンジ及び前記深度レンジの開始位置を調整する請求項１から３のいずれか１項に記載の映像処理装置。
【請求項６】
前記調整手段は、前記３Ｄ映像データを含む放送信号の受信時間帯に応じて前記深度レンジ及び前記深度レンジの開始位置を調整する請求項１から３のいずれか１項に記載の映像処理装置。
【請求項７】
前記深度レンジ及び前記深度レンジの開始位置をユーザ設定に基づいて記憶する記憶手段を有する請求項１から３のいずれか１項に記載の映像処理装置。
【請求項８】
３Ｄ映像データを生成し、
前記３Ｄ映像データがキャラクタデータを含む場合、前記キャラクタデータを含む前記３Ｄ映像データを収める表示範囲の奥行き方向の深度レンジ及び前記深度レンジの開始位置を調整する、
映像処理方法。
【発明の詳細な説明】
【技術分野】
【０００１】
本発明の実施形態は映像処理する装置及び方法に関する。
【背景技術】
【０００２】
現在、様々な方式の立体像表示技術が開発されている。一例としては、眼鏡式の立体像表示技術である。ユーザは、特殊な眼鏡を使用して映像表示装置に表示される右目用の像と左目用の像を見ることで、立体像を知覚できる。
【０００３】
他の例としては、裸眼式である。ユーザは、特殊な眼鏡を使用することなく映像表示装置に表示される左右方向にずらした視点からの複数視差画像を見ることで、立体像を知覚できる。一般的に裸眼式の立体映像表示技術は、両眼視差を用いる両眼視差方式である。
【先行技術文献】
【特許文献】
【０００４】
【特許文献１】特許第４５７６５７０号公報
【発明の概要】
【発明が解決しようとする課題】
【０００５】
表示装置に表示される立体像は、放送波などから取得されるコンテンツを加工した３Ｄ映像データに基づいている。３Ｄ映像データの表示範囲の奥行き方向の幅、３Ｄ映像データの表示範囲の奥行き方向の開始位置が異なれば、同じ３Ｄ映像データであったとしても、ユーザが知覚する見やすさ、臨場感といった感覚は異なる。
【０００６】
例えば、３Ｄ映像データに文字、図形、記号などのデータが含まれる場合、ユーザは、文字などを見にくく感じることがある。その理由は、表示装置は、ユーザが立体像を知覚するように３Ｄ映像データの飛び出しや引っ込みを表示する場合、微小なクロストークを発生することがある。クロストークが発生したとしても、３Ｄ映像データが文字などを含まず、人物や風景といった像のみからなるものであれば、ユーザは、立体像を見にくく感じない。しかしながら、３Ｄ映像データが文字などを含む場合、クロストークが発生したたら、ユーザは、立体像を見にくく感じる。したがって、３Ｄ映像データの表示範囲は、３Ｄ映像データの内容に応じて、奥行き方向の幅、開始位置が適応的に調整される必要がある。
【０００７】
本発明の目的は、３Ｄ映像データに基づく立体像の見やすさを向上させる映像処理装置及び映像処理方法を提供することである。
【課題を解決するための手段】
【０００８】
実施形態によれば映像処理装置は、生成手段と、調整手段とを有する。生成手段は、３Ｄ映像データを生成する。調整手段は、前記３Ｄ映像データを収める表示範囲の奥行き方向の深度レンジを調整する。
【図面の簡単な説明】
【０００９】
【図１】第１の実施形態に係る立体像表示装置の概略を示す図。
【図２】第１の実施形態に係る立体像表示装置が一体化したテレビジョン受信装置の全体構成例を示す図。
【図３】第１の実施形態に係る立体像表示装置に表示される立体像の最大表示範囲を示す概念図。
【図４】第１の実施形態に係る立体像表示装置に表示される立体像の見え方を示す概念図。
【図５】第１の実施形態に係る３Ｄ処理モジュールの構成を示すブロック図。
【図６】第１の実施形態に係る表示範囲の縮小を示す図。
【図７】第２の実施形態に係る３Ｄ処理モジュールの構成を示すブロック図。
【図８】第２の実施形態に係る調整テーブルを示す図。
【発明を実施するための形態】
【００１０】
以下、実施形態について図面を参照して説明する。先ず、立体表示の原理を説明する。図１は、第１の実施形態に係る映像表示装置の一例を概略的に示す断面図である。第１の実施形態はインテグラル方式による立体像表示技術の例を説明するが、立体視の方式はインテグラル方式以外の裸眼式でもよく、眼鏡式でもよい。
【００１１】
図１に示す立体像表示装置１は、縦横に配列した多数の立体像表示用画素１１を有する表示ユニット１０と、それらから離間するとともにそれら立体像表示用画素１１に対応して多数の窓部２２が設けられたマスク２０とを備えている。
【００１２】
マスク２０は光学的開口を有し、上記画素からの光線を制御する機能を有し、視差バリアまたは光線制御素子とも呼ばれる。マスク２０は透明基板上に多数の窓部２２に対応した多数の開口を有する遮光体パターンを形成したものや、遮光板に多数の窓部２２に対応した多数の貫通孔を設けたものなどを使用することができる。あるいは、マスク２０の他の例としては、多数の微小なレンズを２次元的に配列してなるフライアイレンズ、光学的開口が垂直方向に直線状に延び水平方向に周期的に配列される形状のレンチキュラーレンズも使用可能である。さらに、マスク２０として、透過型の液晶表示ユニットのように窓部２２の配置、寸法、形状などを任意に変更可能なものを使用してもよい。
【００１３】
動画像を立体視するためには、液晶表示ユニットを用いて立体像表示用画素１１を実現する。透過型の液晶表示ユニット１０の多数の画素が多数の立体像表示用画素１１を構成し、液晶表示ユニット１０の背面側には面光源であるバックライト３０を配置している。液晶表示ユニット１０の前面側には、マスク２０を配置している。
【００１４】
透過型の液晶表示ユニット１０を使用する場合、マスク２０はバックライト３０と液晶表示ユニット１０との間に配置してもよい。液晶表示ユニット１０及びバックライト３０の代わりに有機ＥＬ（エレクトロルミネッセンス）表示装置や陰極線管表示装置やプラズマ表示装置などのように自発光型の表示装置を使用しても良い。その場合、マスク２０は自発光型表示装置の前面側に配置する。
【００１５】
図１は、立体像表示装置１と観察位置Ａ００，Ａ０Ｒ、Ａ０Ｌの関係を概略的に示している。観察位置は画面（あるいはマスク）との距離を一定に保ったまま表示画面の水平方向に平行移動した位置である。この例では、１つの立体像表示用画素１１が、複数の（例えば５つの）２次元表示用画素で構成されている例を示している。画素の数は１つの例であり、５より少なくてもよく（例えば２個））さらに数が多くても良い（例えば９個）。
【００１６】
図１において、破線４１は隣接する立体像表示用画素１１間の境界に位置する単一画素の中心と、マスク２０の窓部２２とを結ぶ直線（光線）である。図１において、太線５２の領域が真の立体像（本来の立体像）が知覚される領域である。観察位置Ａ００，Ａ０Ｒ、Ａ０Ｌは、太線５２の領域内である。以下、真の立体像のみが知覚される観察位置を「視域」と称する。
【００１７】
図２は、立体像表示装置１が適用された装置の一例でありテレビジョン放送受信装置２１００の信号処理系を概略的に示している。デジタルテレビジョン放送受信用のアンテナ２２２で受信したデジタルテレビジョン放送信号は、入力端子２２３を介してチューナ２２４に供給される。このチューナ２２４は、入力されたデジタルテレビジョン放送信号から所望のチャンネルの信号を選局し復調している。チューナ２２４から出力された信号は、デコーダ２２５に供給されて、例えばＭＰＥＧ（moving picture experts group）２デコード処理が施された後、セレクタ２２６に供給される。
【００１８】
またチューナ２２４の出力は、直接セレクタ２２６に供給されている。放送信号から映像・音声データなどが分離され、この映像・音声データが制御部２３５を介して記録・再生信号処理器２５５で処理され、ハードディスクドライブ（ＨＤＤ）２５７にて記録されることも可能である。ＨＤＤ２５７は、ユニットとして端子２５６を介して記録・再生信号処理器５５に接続されており、交換することも可能である。またＨＤＤ２５７は、信号の記録器、読み取り器を含む。
【００１９】
アナログテレビジョン放送受信用のアンテナ２２７で受信したアナログテレビジョン放送信号は、入力端子２２８を介してチューナ２２９に供給される。このチューナ２２９は、入力されたアナログテレビジョン放送信号から所望のチャンネルの信号を選局し復調している。そして、このチューナ２２９から出力された信号は、Ａ／Ｄ（analog／digital）コンバータ２３０によりデジタル化された後、セレクタ２２６に出力される。
【００２０】
また、例えばＶＴＲなどの機器が接続されるアナログ信号用の入力端子２３１に供給されたアナログの映像・音声信号は、Ａ／Ｄコンバータ２３２に供給されてデジタル化された後、セレクタ２２６に出力される。さらに、例えばＨＤＭＩ（High Definition Multimedia Interface）２６１を介して光ディスクあるいは磁気記録媒体再生装置などの外部機器が接続されるデジタル信号用の入力端子２３３に供給されたデジタルの映像及び音声信号は、そのままセレクタ２２６に供給される。
【００２１】
Ａ／Ｄ変換された信号が、ＨＤＤ２５７にて記録される場合は、セレクタ２２６に付随しているエンコーダ・デコーダ２３６内のエンコーダにより、所定のフォーマット例えばＭＰＥＧ（moving picture experts group）２方式による圧縮処理が施された後、記録・再生信号処理器２５５を介してＨＤＤ２５７に記録される。記録・再生信号処理器２５５は、記録制御器２３５aと相俟って、ＨＤＤ２５７に情報を記録する場合、例えばＨＤＤ２５７の何処のディレクトリに対してどのような情報を記録するかを予めプログラムされている。したがってストリームファイルをストリームディレクトリに格納するときの条件、識別情報を録画リストファイルに格納するときの条件などが設定されている。
【００２２】
セレクタ２２６は、４種類の入力デジタル映像・音声信号から１つを選択して、信号処理器２３４に供給している。この信号処理器２３４は、入力されたデジタル映像・音声信号から映像データ、音声データを分離し、所定の信号処理を施している。信号処理としては、音声データに関しては、オーディオデコード・音質調整・ミックス処理などが任意に行われる。映像データに関しては、カラー・輝度分離処理、カラー調整処理、画質調整処理などが行われる。
【００２３】
信号処理器２３４は、必要に応じてグラフィクスデータを映像データに重ね合わせる。さらに、信号処理器２３４は、３Ｄ処理モジュール８０を含む。３Ｄ処理モジュール８０は、立体像を生成する。３Ｄ処理モジュール８０の構成については、後述する。ビデオ出力回路２３９は、映像データに基づく複数視差画像を表示装置２１０３に表示制御する。ビデオ出力回路２３９は、複数視差画像の表示制御手段として機能する。
【００２４】
映像データは、出力端子２４２を介して表示装置２１０３へ出力される。表示装置２１０３としては、例えば、図１で説明した装置が採用される。表示装置２１０３は、平面像（２Ｄ）、立体像（３Ｄ）のいずれも表示可能である。なお、立体像は、ユーザが表示装置２１０３に表示された複数視差画像を見ることで知覚するものであるが、第１の実施形態では、３Ｄ処理モジュール８０が奥行きをもった立体像を擬似的に生成し、立体像表示装置１が奥行きをもった立体像を擬似的に表示するものとして説明する。
【００２５】
音声データは、オーディオ出力回路２３７でアナログ化され、音量、チャンネルバランスなどの調整を受けた後、出力端子２３８を介してスピーカ装置２１０２に出力される。
【００２６】
このテレビジョン放送受信装置２１００は、各種の受信動作を含む種々の動作を制御ブロック２３５によって統括的に制御されている。この制御ブロック２３５は、ＣＰＵ（central processing unit）等を内蔵したマイクロプロセッサの集合である。制御ブロック２３５は、操作部２４７からの操作情報、または、リモートコントローラ２１０３から送信された操作情報がリモコン信号受信部２４８を取得され、これにより、その操作内容が反映されるように各種ブロックをそれぞれ制御している。
【００２７】
制御部２３５は、メモリ２４９を使用している。このメモリ２４９は、主として、そのＣＰＵが実行する制御プログラムを格納したＲＯＭ（read only memory）と、該ＣＰＵに作業エリアを提供するためのＲＡＭ（random access memory）と、各種の設定情報及び制御情報等が格納される不揮発性メモリとを備えている。
【００２８】
またこの装置はインターネットを介して外部サーバーとの通信を行うことも可能である。接続端子２４４からのダウンストリーム信号は、送・受信器２４５で復調され変調・復調器２４６で復調され、制御ブロック２３５に入力される。またアップストリーム信号は、変調・復調器２４６で変調され、送・受信器２４５で送信信号に変換され接続端子２４４に出力される。
【００２９】
制御ブロック２３５は、外部サーバーからダウンロードされた動画像あるいはサービス情報を変換処理し、信号処理部２３４に供給することができる。また制御ブロック２３５は、リモコン操作に応答して、外部サーバーに向けてサービス要求信号を送信することもできる。
【００３０】
さらに制御ブロック２３５は、コネクタ２５１に装着されたカードタイプメモリ２５２のデータを読み取ることも可能である。このために本装置は、例えば、カードタイプメモリ２５２から写真画像データを取り込み、表示装置２１０３に表示することが可能である。また特殊なカラー調整などを行う場合に、カードタイプメモリ２５２からの画像データを標準データ或いは参照データとして用いることも可能である。
【００３１】
上記装置において、ユーザは、デジタルテレビジョン放送信号の所望の番組を視聴したいと思う場合、リモートコントローラ２１０４を操作することによりチューナ２２４を制御し、番組選択を行う。
【００３２】
チューナ２２４の出力は、デコーダ２２５でデコードされベースバンド映像信号に復号され、このベースバンド映像信号は、セレクタ２２６から信号処理器２３４に入力する。これによりユーザは、所望の番組を表示装置２１０３で見ることができる。
【００３３】
また、ユーザがＨＤＤ２５７に記録されているストリームファイルを再生して視聴したい場合、例えばリモートコントローラ２１０４を操作して、例えば録画リストファイルの表示を指定する。ユーザが録画リストファイルの表示を指定すると、録画リストがメニューとして表示されるので、ユーザは、表示されたリストの中の希望の番組名あるいはファイル番号の位置にカーソルを移動させ、決定ボタンを操作する。すると、所望のストリームファイルの再生が開始される。
【００３４】
指定されたストリームファイルは、再生制御器２３５ｂの制御のもとで、ＨＤＤ２５７から読み出され、記録・再生信号処理器２５５で復号され、制御ブロック２３５、セレクタ２２６を経由して信号処理器２３４に入力される。
【００３５】
図３は、表示装置２１０３が表示可能な立体像の最大表示範囲Ａを示す概念図である。最大表示範囲Ａは、立体像の奥行き方向の最大限の大きさであるフルレンジを示す。最大表示範囲Ａは、表示装置２１０３の性能によって異なるが、ユーザが表示装置２１０３を視域で見た場合のものとする。第１の実施形態では、立体像の奥行き方向の最大表示範囲Ａにおける最手前から奥行き方向に向う位置を深度と定義する。最大表示範囲Ａは、相対的な値として、最手前を０、最奥を２５５と定義する。したがって、最大表示範囲Ａの深度レンジは、フルレンジの２５５である。第１の実施形態では、立体像の奥行き方向の大きさ（幅）を深度レンジと定義する。なお、最大表示範囲Ａにおける最手前を０としているが、最奥を０と定義してもよい。また、最大表示範囲Ａにおける中央を０とし、最手前を１２７、最奥を−１２８と定義してもよい。
【００３６】
さらに、第１の実施形態では、ユーザが視域で表示装置２１０３に表示される平面像（２Ｄ）を見た場合に、最もきれいな像を投影する奥行き方向の面を投影面と定義する。投影面は、一般的には、表示装置２１０３のパネル面である。本実施形態では、表示装置２１０３のパネル面が投影面であり、奥行き方向における投影面の深度は、最大表示範囲の中間である１２８とする。
【００３７】
図４は、表示装置２１０３に表示される立体像の見え方を示す概念図である。図４の（ａ）は、右目用の視差画像を構成する複数の画素ａと、左目用の視差画像を構成する複数の画素ｂを配列した表示装置２１０３のパネル面Ｘを示す。ユーザは、視域で表示装置２１０３を見ると、図４の（ａ）の下図のように、右目で複数の画素ａを知覚して視差画像を生成し、左目で複数の画素ｂを知覚して視差画像を生成する。ユーザは、図４の（ａ）の上図のように、右目と左目の視差によってパネル面Ｘよりも手前側に飛び出る像を知覚する。
【００３８】
図４の（ｂ）は、右目用及び左目用の視差画像を構成する複数の画素ｃを配列した表示装置２１０３のパネル面Ｘを示す。ユーザは、視域で表示装置２１０３を見ると、図４の（ｂ）の下図のように、右目で複数の画素ｃを知覚して視差画像を生成し、左目で複数の画素ｃを知覚して視差画像を生成する。ユーザは、図４の（ｂ）の上図のように、右目と左目の視差によってパネル面Ｘに投影される像（２Ｄ）を知覚する。つまり、この場合、像は、左右の目の視差によらず、投影面であるパネル面Ｘ上と同じ場所に投影される。
【００３９】
図４の（ｃ）は、右目用の視差画像を構成する複数の画素ｄと、左目用の視差画像を構成する複数の画素ｅを配列した表示装置２１０３のパネル面Ｘを示す。ユーザは、視域で表示装置２１０３を見ると、図４の（ｃ）の下図のように、右目で複数の画素ｄを知覚して視差画像を生成し、左目で複数の画素ｅを知覚して視差画像を生成する。ユーザは、図４の（ｂ）の上図のように、右目と左目の視差によってパネル面Ｘよりも奥側に引っ込む像を知覚する。
【００４０】
次に、３Ｄ処理モジュール８０の構成について説明する。図５は、３Ｄ処理モジュール８０の３Ｄ処理モジュール８０は、映像処理モジュール８０１、指示受信モジュール８０２、画像調整モジュール８０３を有する。
【００４１】
映像処理モジュール８０１は、２Ｄ映像データを取得する。２Ｄ映像データは、映像信号に基づいて信号処理器２３４が信号処理したものである。映像信号は、チューナ２２４で取得した放送信号に含まれるものであっても、ＨＤＭＩ２６１を介して外部機器から供給されるものであっても、ＨＤＤ２５７に記録されているコンテンツに基づくものであってもよく、限定されるものではない。映像処理モジュール８０１は、２Ｄ映像データから３Ｄ映像データを生成する。映像処理モジュール８０１は、３Ｄ映像データの生成手段として機能する。２Ｄ映像データから３Ｄ映像データへの変換技術は、いかなるものであってもよい。なお、映像処理モジュール８０１は、入力された映像データが３Ｄの場合、３Ｄ映像データの生成処理を必要としない。映像処理モジュール８０１は、３Ｄ映像データを画像合成モジュール８０３へ供給する。
【００４２】
指示受信モジュール８０２は、調整指示を受け付ける。調整指示は、最大表示範囲ではなく、最手前の深度が投影面の深度である１２８、深度レンジが深度１２８から深度２５５までの最大でも１２７で規定される表示範囲に３Ｄ映像データが収めるように変更（縮小）させる指示である。つまり、調整指示は、３Ｄ映像データが収められる表示範囲の深度レンジの開始位置及び深度レンジを調整させる指示である。指示受信モジュール８０２は、例えば、ユーザがリモートコントローラ２１０４で入力した調整指示、ＨＤＭＩ２６１を介した外部機器からの調整指示を制御ブロック２３５を経由して受け付ける。なお、指示受信モジュール８０２は、映像信号に調整指示が含まれているような場合、映像信号から取得してもよい。指示受信モジュール８０２は、調整指示を画像調整モジュール８０３に出力する。
【００４３】
画像調整モジュール８０３は、判断モジュール８０３１を有する。判断モジュール８０３１は、指示受信モジュール８０２から調整指示を受信したか否かを判断する。指示受信モジュール８０２が調整指示を受信していない場合について説明する。画像調整モジュール８０３は、表示範囲に収めるように３Ｄ映像データを加工する。このときの表示範囲は、深度レンジの開始位置が０、深度レンジが２５５で規定される最大表示範囲である。
【００４４】
次に、指示受信モジュール８０２が調整指示を受信した場合について説明する。画像調整モジュール８０３は、表示範囲に収めるように３Ｄ映像データを加工する。このときの表示範囲は、深度レンジの開始位置が投影面の深度である１２８、深度レンジが例えば１０で規定される範囲である。つまり、画像調整モジュール８０３は、３Ｄ映像データを収める表示範囲を最大表示範囲から縮小する。ここでは、この縮小される表示範囲を縮小表示範囲と称す。画像調整モジュール８０３は、深度レンジの開始位置及び深度レンジが予め定められた縮小表示範囲に関するデータを保存する。図６は、フルレンジを有する表示範囲をフルレンジよりも小さい（狭い）深度レンジを有する縮小表示範囲に縮小した例を示す図である。図６の左図は、画像調整モジュール８０３が３Ｄ映像データをフルレンジを有する表示範囲に収めた状態を示す。図６の右図は、画像調整モジュール８０３が３Ｄ映像データを深度レンジの開始位置が投影面の深度である１２８であって、フルレンジよりも小さい深度レンジを有する表示範囲に収めた状態を示す。
【００４５】
画像調整モジュール８０３は、表示範囲に収めた３Ｄ映像データから複数視差画像を生成する。画像調整モジュール８０３は、複数視差画像をビデオ出力回路２３９に供給する。ビデオ出力回路２３９は、複数視差画像を表示装置２１０３に表示制御する。表示装置２１０３は、複数視差画像により、立体像を表示する。表示装置２１０３は、ユーザが視域で表示装置２１０３を見たときに、奥行きをもつ立体像を見ることができるように表示する。
【００４６】
上記説明したように、画像調整モジュール８０３は、縮小表示範囲の深度レンジ開始位置を投影面の深度に近づけるように調整する。一般に、３Ｄ映像データに含まれるキャラクタデータの深度は、表示範囲の最手前の深度である。本実施形態では、キャラクタとは、文字、記号、図形を含むテロップ、グラフィクス、キャスターの持つフリップに書かれた文字などを含むものを意味する。したがって、ユーザは、表示装置２１０３に表示される３Ｄ映像データがキャラクタデータを含むコンテンツ（ニュースなど）に対応すると知覚すれば、リモートコントローラ２１０４で調整指示を入力すればよい。ユーザは、投影面に投影されるキャラクタデータをぶれが少なく、くっきりした状態で知覚することができる。
【００４７】
縮小表示範囲の深度レンジは、一例として１０として説明したが、特に限定されるものではない。縮小表示範囲の深度レンジは、投影面の深度を開始位置として、最大表示範囲の最奥の深度までの間であればよい。縮小表示範囲の深度レンジが狭くすればするほど、ユーザが知覚する表示装置２１０３に表示される３Ｄ映像データの立体感は、少なくなる。したがって、ユーザは、投影面に投影されるキャラクタデータをより鮮明に知覚することができる。一方、縮小表示範囲の深度レンジは、投影面の深度を開始位置として、最大表示範囲の最奥の深度まで最大限とってもよい。縮小表示範囲の深度レンジが広くなればなるほど、ユーザが知覚する表示装置２１０３に表示される映像３Ｄ映像データの立体感は、少なくなる。したがって、ユーザは、３Ｄ映像データに含まれるキャラクタデータ以外のデータの３Ｄ効果が最大限に発揮された立体像を知覚することができる。
【００４８】
なお、画像調整モジュール８０３は、予め定められた縮小表示範囲に関するデータを保存しているが、縮小表示範囲に関するデータは可変であってもよい。ユーザがリモートコントローラ２１０４で縮小表示範囲における深度レンジ開始位置及び深度レンジの設定を入力すると、制御ブロック２３５は、この設定に関する情報を画像調整モジュール８０３に送信する。画像調整モジュール８０３は、ユーザが設定した縮小表示範囲における深度レンジ開始位置及び深度レンジを更新して保存する。画像調整モジュール８０３は、縮小表示範囲に関するデータを更新、保存する機能を有する。画像調整モジュール８０３は、テレビジョン放送受信装置２１００が次回起動した時であっても、更新した縮小表示範囲に関するデータを３Ｄ映像データに適用する。表示装置２１０３に表示される３Ｄ映像データの立体感、３Ｄ映像データに含まれるキャラクタデータの見やすさは、人それぞれで異なる。したがって、ユーザは、自身にとって最適な状態の縮小表示範囲に収められた３Ｄ映像データを知覚することができる。
【００４９】
なお、上記説明したように、画像調整モジュール８０３は、縮小表示範囲に関するデータを適用して、縮小表示範囲の深度レンジ開始位置を投影面の深度に調整したが、これに限られない。例えば、画像調整モジュール８０３は、３Ｄ映像データを解析して、キャラクタデータが表示範囲の最手前側からどれくらいの位置で投影されるものかを判断する。例えば、映像処理モジュール８０１が２Ｄ映像データから３Ｄ映像データを生成する場合、画像調整モジュール８０３は、その生成処理過程から判断する。例えば、信号処理器２３４が３Ｄ映像データを含む映像信号を取得した場合、映像信号に含まれる３Ｄ映像データの奥行きに関する情報から判断する。
【００５０】
画像調整モジュール８０３は、３Ｄ映像データに含まれるキャラクタデータの位置が投影面の深度であり、深度レンジがフルレンジよりも狭いレンジとなるように縮小表示範囲を調整しても良い。画像調整モジュール８０３は、キャラクタデータが表示範囲の最手前側からどれくらいの位置で投影されるものか判別できない場合、画像調整モジュール８０３は、フルレンジよりも深度レンジを狭め、その深度レンジの中央が投影面の深度となるように縮小表示範囲を調整しても良い。
【００５１】
第１の実施形態によれば、表示装置２１０３は、３Ｄ映像データがキャラクタデータを含む場合であっても、クロストークを発生することなく、ユーザが鮮明にキャラクタデータを知覚できる立体像を表示できる。
【００５２】
次に、第２の実施形態について説明する。図７は、第２の実施形態に係る３Ｄ処理モジュール８０の構成を示すブロック図である。第２の実施形態は、信号処理モジュール８０の構成以外第１の実施形態と同様である。信号処理モジュール８０は、映像処理モジュール８０４、情報取得モジュール８０５、メモリ８０６、画像調整モジュール８０７を有する。
【００５３】
映像処理モジュール８０４は、映像処理モジュール８０１の構成と同様である。情報取得モジュール８０５は、映像処理モジュール８０４に入力された映像データに対応する映像信号を取得する。映像信号は、チューナ２２４で取得した放送信号に基づくものであっても、ＨＤＭＩ２６１を介して外部機器から供給されるものであっても、ＨＤＤ２５７に記録されているコンテンツに基づくものであってもよく、限定されるものではない。情報取得モジュール８０５は、映像信号から映像データのジャンル情報を取得する。情報取得モジュール８０５は、ジャンル情報を画像調整モジュール８０７に供給する。
【００５４】
メモリ８０６は、３Ｄ映像データの表示範囲に関する調整テーブルを保存する。メモリ８０６は、調整テーブルの記憶手段として機能する。図８は、調整テーブルの例を示す。調整テーブルは、３Ｄ映像データの番組のジャンルに応じた以下のような設定を保存する。ジャンルがニュースの場合、表示範囲は、深度レンジの開始位置が投影面の深度である１２８、深度レンジが１０と設定されている。ニュースは、キャラクタが多用される番組である。したがって、深度レンジの開始位置は、投影面付近にキャラクタデータが投影されるように設定されている。深度レンジは、キャラクタデータの見やすさを考慮して３Ｄ映像データの立体感を少なくするために、深度レンジは小さく設定されている。
【００５５】
ジャンルがドラマまたは映画の場合、表示範囲は、深度レンジの開始位置が最大表示範囲の最手前である深度０、深度レンジがフルレンジの２５５と設定されている。ドラマまたは映画は、３Ｄ映像データの立体感を最大限楽む番組である。したがって、深度レンジは、フルレンジ（最大）に設定されている。
【００５６】
ジャンルがアニメの場合、表示範囲は、深度レンジの開始位置が投影面の深度である１２８、深度レンジが０と設定されている。アニメは、３Ｄ化の効果の薄い番組である。したがって、深度レンジは、０（つまり２Ｄ）と設定されている。
【００５７】
ジャンルがバラエティの場合、表示範囲は、深度レンジの開始位置が投影面の深度である１２８、深度レンジが１２７と設定されている。バラエティは、テロップが多用され、かつ、背景も楽しむ番組である。したがって、深度レンジの開始位置は、投影面付近にキャラクタデータが投影されるように設定されている。深度レンジは、フルレンジに比べて中くらいであるが、可能な限り広く設定されている。なお、図７に示す調整テーブルのジャンルは一例であり、他にも情報番組、スポーツなどのジャンルについても、各々深度レンジの開始位置及び深度レンジが設定されている。
【００５８】
画像調整モジュール８０７は、ジャンル情報から３Ｄ映像データのジャンルを特定する。画像調整モジュール８０７は、調整テーブルから、特定したジャンルに設定されている深度レンジ開始位置及び深度レンジに関する情報を取得する。画像調整モジュール８０７は、取得した深度レンジ開始位置及び深度レンジで規定される表示範囲に収めるように３Ｄ映像データを加工する。例えば、３Ｄ映像データのジャンルがニュースの場合、画像調整モジュール８０７は、３Ｄ映像データを収める表示範囲を図６の左図に示す最大表示範囲から図６の右図に示す深度レンジを縮小した表示範囲に調整するする。
【００５９】
なお、調整テーブルに設定されている各ジャンルの深度レンジ開始位置及び深度レンジに関する情報は、可変であってもよい。ユーザがリモートコントローラ２１０４で任意のジャンルの深度レンジ開始位置及び深度レンジの設定を入力すると、制御ブロック２３５は、この設定に関する情報を３Ｄ処理モジュール８０に送信する。３Ｄ処理モジュール８０は、ユーザが設定したジャンルの深度レンジ開始位置及び深度レンジを調整テーブルに反映させる。メモリ８０３は、調整テーブルを更新、保存する。画像調整モジュール８０７は、テレビジョン放送受信装置２１００が次回起動した時であっても、更新された調整テーブルを３Ｄ映像データに適用する。したがって、ユーザは、自身にとって最適な状態（見やすさ、立体感）の３Ｄ映像データを知覚することができる。
【００６０】
なお、上記説明したように、画像調整モジュール８０７は、３Ｄ映像データのジャンルに応じて表示範囲を調整したが、これに限られない。画像調整モジュール８０７は、３Ｄ映像データにキャラクタデータが含まれているか否かに応じて表示範囲を調整してもよい。この場合、画像調整モジュール８０７は、３Ｄ映像データにキャラクタデータが含まれているか否かを判別する。３Ｄ映像データにキャラクタデータが含まれている場合、画像調整モジュール８０７は、例えば、図８に示すニュースについて設定された表示範囲を３Ｄ映像データに適用する。３Ｄ映像データにキャラクタデータが含まれてない場合、画像調整モジュール８０７は、例えば、図８に示すドラマについて設定された表示範囲を３Ｄ映像データに適用する。
【００６１】
さらに、画像調整モジュール８０７は、３Ｄ映像データを含む放送信号の受信時間帯に応じて表示範囲を調整してもよい。画像調整モジュール８０７は、３Ｄ映像データが放送信号に基づくものであると判断した場合、現在時刻（放送信号を受信した時間帯）を図示しないタイマまたは放送信号に含まれる情報などから取得する。放送信号を受信した時間帯が朝であれば、画像調整モジュール８０７は、朝の時間帯用として予め定められた表示範囲を３Ｄ映像データに適用する。この場合、画像調整モジュール８０７は、例えば、図８に示すドラマについて設定された表示範囲を３Ｄ映像データに適用する。これは、朝は、ドラマが多く放送されるからである。放送信号を受信した時間帯が昼であれば、画像調整モジュール８０７は、昼の時間帯用として予め定められた表示範囲を３Ｄ映像データに適用する。この場合、画像調整モジュール８０７は、例えば、図８に示すニュースについて設定された表示範囲を３Ｄ映像データに適用する。これは、昼は、ニュースが多く放送されるからである。
【００６２】
第２の実施形態によれば、画像調整モジュール８０７は、３Ｄ映像データのジャンル（内容）、キャラクタデータの有無、放送信号の受信時間帯に応じて最適な表示範囲を動的に調整できる。そのため、ユーザは表示範囲の調整を都度切り替える手間がなくなり、利便性が向上する。
【００６３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６４】
１０…表示ユニット、１１…立体映像表示用画素、２０…マスク、３０…バックライト、２２…窓部、８０…３Ｄ処理モジュール、８０１…映像処理モジュール、８０２…指示受信モジュール、８０３…画像調整モジュール、８０４…映像処理モジュール、８０５…情報取得モジュール、８０６…メモリ、８０７…画像調整モジュール。８０３１…判断モジュール。
【図１】
0005355758.tif 000002
【図２】
0005355758.tif 000003
【図３】
0005355758.tif 000004
【図４】
0005355758.tif 000005
【図５】
0005355758.tif 000006
【図６】
0005355758.tif 000007
【図７】
0005355758.tif 000008
【図８】
0005355758.tif 000009